(57)【特許請求の範囲】
【請求項１】
上下方向に延びる芯材（１０）と、
前記芯材（１０）に固定されている第１内面（２１）を含み、上下方向に延びる第１支柱（２０）であって、前記第１内面（２１）は、前記芯材（１０）に機械的に固定されている第１中央部（２２）と、前記第１中央部（２２）の両側に位置する一対の第１側部（２３）と、を含む、第１支柱（２０）と、
前記第１支柱（２０）の前記第１内面（２１）の前記第１側部（２３）に磁力によって固定されている端部（４５）を含むパネル（４０）と、
前記芯材（１０）、前記第１支柱（２０）の前記第１内面（２１）又は前記パネル（４０）に対向する第２内面（３１）を含み、上下方向に延びる第２支柱（３０）であって、前記第２内面（３１）は、前記芯材（１０）に磁力によって固定されている第２中央部（３２）と、前記第２中央部（３２）の両側に位置し、前記第１支柱（２０）の前記第１内面（２１）の前記一対の第１側部（２３）に対向する一対の第２側部（３３）と、を含む、第２支柱（３０）と、
を備え、
前記第１側部（２３）と前記第２側部（３３）とが対向する方向において、前記第１側部（２３）及び前記第２側部（３３）は前記芯材（１０）に重なっていない、パーティション装置（１）。
【請求項２】
前記第１支柱（２０）に固定されている前記パネル（４０）の下方において前記芯材（１０）、前記第１支柱（２０）又は前記第２支柱（３０）に機械的に固定されているパネル受け部材（３４）を備える、請求項１に記載のパーティション装置（１）。
【請求項３】
上下方向に延びる芯材（１０）と、
前記芯材（１０）に固定されている第１内面（２１）を含み、上下方向に延びる第１支柱（２０）であって、前記第１内面（２１）は、前記芯材（１０）に機械的に固定されている第１中央部（２２）と、前記第１中央部（２２）の両側に位置する一対の第１側部（２３）と、を含む、第１支柱（２０）と、
前記第１支柱（２０）の前記第１内面（２１）の前記第１側部（２３）に磁力によって固定されている端部（４５）を含むパネル（４０）と、
前記芯材（１０）、前記第１支柱（２０）の前記第１内面（２１）又は前記パネル（４０）に対向する第２内面（３１）を含み、上下方向に延びる第２支柱（３０）であって、前記第２内面（３１）は、前記芯材（１０）に磁力によって固定されている第２中央部（３２）と、前記第２中央部（３２）の両側に位置し、前記第１支柱（２０）の前記第１内面（２１）の前記一対の第１側部（２３）又は前記パネル（４０）に対向する一対の第２側部（３３）と、を含む、第２支柱（３０）と、
前記第１支柱（２０）に固定されている前記パネル（４０）の下方において、前記芯材（１０）、前記第１支柱（２０）又は前記第２支柱（３０）に機械的に固定されているパネル受け部材（３４）と、を備える、
パーティション装置（１）。
【請求項４】
前記第１支柱（２０）の前記第１側部（２３）に取り付けられている第１磁性体（２５）を備える、請求項１乃至３のいずれか一項に記載のパーティション装置（１）。
【請求項５】
前記第２支柱（３０）の前記第２中央部（３２）に取り付けられている第２磁性体（３５）を備える、請求項１乃至４のいずれか一項に記載のパーティション装置（１）。
【請求項６】
組み合わせ体（８）を準備する工程であって、
前記組み合わせ体（８）は、
上下方向に延びる芯材（１０）と、
前記芯材（１０）に固定されている第１内面（２１）を含み、上下方向に延びる第１支柱（２０）であって、前記第１内面（２１）は、前記芯材（１０）に機械的に固定されている第１中央部（２２）と、前記第１中央部（２２）の両側に位置する一対の第１側部（２３）と、を含む、第１支柱（２０）と、を備える、工程と、
前記組み合わせ体（８）の前記芯材（１０）の下端（１１）を建物の床（６１）に固定する工程と、
前記第１支柱（２０）の前記第１側部（２３）にパネル（４０）の端部（４５）を磁力によって固定する工程と、
第２中央部（３２）と、前記第２中央部（３２）の両側に位置する一対の第２側部（３３）と、を含む第２内面（３１）を備え、上下方向に延びる第２支柱（３０）を準備する工程と、
前記第２支柱（３０）の前記第２中央部（３２）を前記芯材（１０）に磁力によって固定する工程と、
を備え、
前記第１側部（２３）と前記第２側部（３３）とが対向する方向において、前記第１側部（２３）及び前記第２側部（３３）は前記芯材（１０）に重なっていない、パーティション装置の設置方法。
【請求項７】
組み合わせ体（８）を準備する工程であって、
前記組み合わせ体（８）は、
上下方向に延びる芯材（１０）と、
前記芯材（１０）に固定されている第１内面（２１）を含み、上下方向に延びる第１支柱（２０）であって、前記第１内面（２１）は、前記芯材（１０）に機械的に固定されている第１中央部（２２）と、前記第１中央部（２２）の両側に位置する一対の第１側部（２３）と、を含む、第１支柱（２０）と、を備える、工程と、
前記組み合わせ体（８）の前記芯材（１０）の下端（１１）を建物の床（６１）に固定する工程と、
前記第１支柱（２０）の前記第１側部（２３）にパネル（４０）の端部（４５）を磁力によって固定する工程と、
第２中央部（３２）と、前記第２中央部（３２）の両側に位置する一対の第２側部（３３）と、を含む第２内面（３１）を備え、上下方向に延びる第２支柱（３０）を準備する工程と、
前記第２支柱（３０）の前記第２中央部（３２）を前記芯材（１０）に磁力によって固定する工程と、
を備え、
前記第１支柱（２０）に固定されている前記パネル（４０）の下方において、パネル受け部材（３４）が、前記芯材（１０）、前記第１支柱（２０）又は前記第２支柱（３０）に機械的に固定されている、パーティション装置の設置方法。
【請求項８】
パネル（４０）の端部を支持するパネル支持機構（５）であって、
上下方向に延びる芯材（１０）と、
前記芯材（１０）に固定されている第１内面（２１）を含み、上下方向に延びる第１支柱（２０）であって、前記第１内面（２１）は、前記芯材（１０）に機械的に固定されている第１中央部（２２）と、前記第１中央部（２２）の両側に位置する一対の第１側部（２３）と、を含む、第１支柱（２０）と、
前記第１支柱（２０）の前記第１側部（２３）に取り付けられている磁性体（２５）と、
前記芯材（１０）、前記第１支柱（２０）の前記第１内面（２１）に対向する第２内面（３１）を含み、上下方向に延びる第２支柱（３０）であって、前記第２内面（３１）は、前記芯材（１０）に磁力によって固定されている第２中央部（３２）と、前記第２中央部（３２）の両側に位置し、前記第１支柱（２０）の前記第１内面（２１）の前記一対の第１側部（２３）に対向する一対の第２側部（３３）と、を含む、第２支柱（３０）と、を備え、
前記第１側部（２３）と前記第２側部（３３）とが対向する方向において、前記第１側部（２３）及び前記第２側部（３３）は前記芯材（１０）に重なっていない、パネル支持機構（５）。
【請求項９】
パネル（４０）の端部を支持するパネル支持機構（５）であって、
上下方向に延びる芯材（１０）と、
前記芯材（１０）に固定されている第１内面（２１）を含み、上下方向に延びる第１支柱（２０）であって、前記第１内面（２１）は、前記芯材（１０）に機械的に固定されている第１中央部（２２）と、前記第１中央部（２２）の両側に位置する一対の第１側部（２３）と、を含む、第１支柱（２０）と、
前記第１支柱（２０）の前記第１側部（２３）に取り付けられている磁性体（２５）と、
前記芯材（１０）、前記第１支柱（２０）の前記第１内面（２１）に対向する第２内面（３１）を含み、上下方向に延びる第２支柱（３０）であって、前記第２内面（３１）は、前記芯材（１０）に磁力によって固定されている第２中央部（３２）と、前記第２中央部（３２）の両側に位置し、前記第１支柱（２０）の前記第１内面（２１）の前記一対の第１側部（２３）に対向する一対の第２側部（３３）と、を含む、第２支柱（３０）と、
前記芯材（１０）、前記第１支柱（２０）又は前記第２支柱（３０）に機械的に固定されている、前記パネル（４０）を受け止めるためのパネル受け部材（３４）と、を備える、
パネル支持機構（５）。
【発明の詳細な説明】
【技術分野】
【０００１】
本発明は、空間を区切るパーティション装置及びその設置方法に関する。
【背景技術】
【０００２】
建物の内部空間などを仕切るためのパーティション装置が知られている。パーティション装置は、例えば、空間を区切るためのパネルと、パネルの両端を支持する支柱などの支持具と、を備える。例えば特許文献１は、パネルの側面の溝に支柱を嵌入させることによって構成されるパーティション装置を開示している。
【先行技術文献】
【特許文献】
【０００３】
【特許文献１】特開２０１６−１０８８９５号公報
【発明の概要】
【発明が解決しようとする課題】
【０００４】
パネル又は支柱の一方の溝に他方を嵌入させるタイプのパーティション装置においては、パネルを支柱から取り外すためには、パネルの両端を支持する２本の支柱のうちの少なくとも１本を取り外す必要がある。このため、利用者が自らパネルの交換や増設を行うのは困難である。
【０００５】
本発明は、このような点を考慮してなされたものであり、パネルの交換や増設を容易に行うことができるパーティション装置を提供することを目的とする。
【課題を解決するための手段】
【０００６】
本発明は、パーティション装置であって、
上下方向に延びる芯材と、
前記芯材に固定されている第１内面を含み、上下方向に延びる第１支柱であって、前記第１内面は、前記芯材に機械的に固定されている第１中央部と、前記第１中央部の両側に位置する一対の第１側部と、を含む、第１支柱と、
前記第１支柱の前記第１内面の前記第１側部に磁力によって固定されている端部を含むパネルと、
前記芯材、前記第１支柱の前記第１内面又は前記パネルに対向する第２内面を含み、上下方向に延びる第２支柱であって、前記第２内面は、前記芯材に磁力によって固定されている第２中央部と、前記第２中央部の両側に位置し、前記第１支柱の前記第１内面の前記一対の第１側部又は前記パネルに対向する一対の第２側部と、を含む、第２支柱と、
を備える、パーティション装置である。
【０００７】
本発明によるパーティション装置は、第１支柱に固定されているパネルの下方において芯材又は第２支柱の第２側部に機械的に固定されているパネル受け部材を備えていてもよい。
【０００８】
本発明によるパーティション装置は、第１支柱の第１側部に取り付けられている第１磁性体を備えていてもよい。
【０００９】
本発明によるパーティション装置は、第２支柱の第１中央部に取り付けられている第２磁性体を備えていてもよい。
【００１０】
本発明は、パーティション装置の設置方法であって、
組み合わせ体を準備する工程であって、
前記組み合わせ体は、
上下方向に延びる芯材と、
前記芯材に固定されている第１内面を含み、上下方向に延びる第１支柱であって、前記第１内面は、前記芯材に機械的に固定されている第１中央部と、前記第１中央部の両側に位置する一対の第１側部と、を含む、第１支柱と、を備える、工程と、
前記組み合わせ体の前記芯材の下端を建物の床に固定する工程と、
前記第１支柱の前記第１側部にパネルの端部を磁力によって固定する工程と、
第２中央部と、前記第２中央部の両側に位置する一対の第２側部と、を含む第２内面を備え、上下方向に延びる第２支柱を準備する工程と、
前記第２支柱の前記第２中央部を前記芯材に磁力によって固定する工程と、
を備える、パーティション装置の設置方法である。
【００１１】
本発明は、パネルの端部を支持するパネル支持機構であって、
上下方向に延びる芯材と、
前記芯材に固定されている第１内面を含み、上下方向に延びる第１支柱であって、前記第１内面は、前記芯材に機械的に固定されている第１中央部と、前記第１中央部の両側に位置する一対の第１側部と、を含む、第１支柱と、
前記第１支柱の前記第１側部に取り付けられている磁性体と、
を備える、パネル支持機構である。
【００１２】
本発明によるパネル支持機構は、前記芯材、前記第１支柱の前記第１内面に対向する第２内面を含み、上下方向に延びる第２支柱を備えていてもよい。この場合、前記第２内面は、前記芯材に磁力によって固定されている第２中央部と、前記第２中央部の両側に位置し、前記第１支柱の前記第１内面の前記一対の第１側部に対向する一対の第２側部と、を含んでいてもよい。
【発明の効果】
【００１３】
本発明のパーティション装置によれば、パネルの交換や増設を容易に行うことができる。
【図面の簡単な説明】
【００１４】
【図１】パーティション装置を示す正面図である。
【図２】パーティション装置の芯材及び第１支柱を示す横断面図である。
【図３】パーティション装置の第２支柱を示す横断面図である。
【図４】図１のパーティション装置をＡ−Ａ線に沿って見た場合を示す横断面図である。
【図５】図１のパーティション装置をＢ−Ｂ線に沿って見た場合を示す横断面図である。
【図６】図５の芯材、第２支柱及びパネル受け部材をＣ−Ｃ線に沿って見た場合を示す横断面図である。
【図７】パーティション装置の設置方法を示す図である。
【図８】パーティション装置の設置方法を示す図である。
【図９】パーティション装置の設置方法を示す図である。
【図１０】パーティション装置の設置方法を示す図である。
【図１１】パーティション装置の設置方法を示す図である。
【発明を実施するための形態】
【００１５】
図１乃至図１０を参照して、本発明の一実施の形態について説明する。なお、本件明細書に添付する図面においては、図示と理解のしやすさの便宜上、縮尺および縦横の寸法比等を、実物のそれらから適宜変更し誇張してある。
【００１６】
パーティション装置
図１は、本実施の形態によるパーティション装置１を示す図である。パーティション装置１は、パネル４０と、パネル４０を支持するパネル支持機構５と、を備える。パネル４０は、建物の内部空間などを仕切るよう、上下方向Ｖ及び水平方向Ｈに広がっている。支持具は、水平方向Ｈにおけるパネル４０の端部４５を支持している。本実施の形態において、パネル支持機構５は、図１に示す芯材１０及び第１支柱２０の組み合わせ体８を少なくとも備える。
【００１７】
また、パネル支持機構５は、芯材１０及び第１支柱２０の組み合わせ体８に取り付けられている第２支柱３０を備えている。第２支柱３０は、芯材１０、第１支柱２０及びパネル４０の端部４５を覆うカバーとして機能している。
【００１８】
図１に示すように、複数のパネル４０が上下方向Ｖに並んでいてもよい。本実施の形態のパーティション装置１は、パネル４０の取り外しが容易に行えるように構成されている。このため、利用者は、パネル４０を自ら取り付けたり取り外したりすることにより、上下方向Ｖに並ぶパネル４０の数を容易に変更することができる。
【００１９】
以下、パーティション装置１の各構成要素について詳細に説明する。
【００２０】
（芯材）
芯材１０は、図１に示すように、上下方向Ｖに延びる部材である。芯材１０は、床６１に対して固定される下端１１と、天井６２に対して固定される上端１２と、を含む。なお、芯材１０の下端１１は、床６１に直接的に固定されていてもよく、床６１に配置されている部品を介して床６１に固定されていてもよい。芯材１０の上端１２も同様に、天井６２に直接的に固定されていてもよく、天井６２に配置されている部品を介して天井６２に固定されていてもよい。
【００２１】
芯材１０の端部と床６１又は天井６２との間に介在されている部材は、上下方向Ｖに伸縮可能に構成されていてもよい。これによって、後述するように、芯材１０を設置する作業を容易化することができる。
【００２２】
図２は、芯材１０及び第１支柱２０の組み合わせ体８を示す横断面図である。図２に示す芯材１０は、第１支柱２０に機械的に固定されている第１面１３と、第１面１３に対向する第２面１４と、第１面１３と第２面１４の間に位置する第３面１５及び第４面１６と、を含む四角形の断面形状を有する中空の部材である。「機械的に固定」とは、締結、ねじ、かしめなどによって力学的に固定されている状態を表しており、後述する磁力を利用した固定とは区別される。
【００２３】
芯材１０の第１面１３は、例えばビスなどの固定具５１によって第１支柱２０に固定されている。第２面１４には、固定具５１を通すための開口１４ａが形成されていてもよい。
【００２４】
なお、芯材１０の横断面の形状が四角形に限られることはなく、様々な形状が採用され得る。
【００２５】
芯材１０を構成する材料としては、アルミニウムやスチールなどの金属材料を用いることができる。例えば、加熱されたアルミニウムを金型から押し出すことによって、図２に示す中空の芯材１０を作製することができる。
【００２６】
（第１支柱）
第１支柱２０は、上下方向Ｖに延び、芯材１０に固定されている第１内面２１を含む中空の部材である。図２に示すように、第１支柱２０は、芯材１０側に位置する第１内面２１に加えて、第１内面２１の反対側に位置する第１外面２６を含んでいてもよい。第１外面２６は、図２に示すように、半円形の断面形状を有していてもよい。
【００２７】
第１支柱２０の第１内面２１は、芯材１０に機械的に固定されている第１中央部２２と、第１中央部２２の両側に位置する一対の第１側部２３と、を含んでいる。図２に示すように、第１中央部２２は、第１側部２３から第１外面２６側へ凹んだ溝を含み、溝に芯材１０が部分的に挿入されていてもよい。この場合、溝の深さを調整することにより、第１内面２１の法線方向における芯材１０の寸法の自由度や、第１支柱２０と第２支柱３０の間の間隔の自由度を高めることができる。また、第１内面２１に対して芯材１０をより安定に固定することができる。また、第１内面２１に対する芯材１０の位置決めが容易になる。
【００２８】
図２に示すように、第１支柱２０は、第１側部２３に取り付けられている第１磁性体２５を有していてもよい。第１磁性体２５は、例えば、第１側部２３に貼り付けられる粘着層を含むマグネットシートである。
【００２９】
図２に示すように、第１側部２３には、第１中央部２２の溝よりも小さい深さで第１外面２６側へ凹んだ段差２３ａが形成され、段差２３ａよりも第１中央部２２側の位置において第１側部２３に第１磁性体２５が取り付けられていてもよい。図２に示す例において、段差２３ａは、第１磁性体２５の厚みよりも小さい深さを有している。
【００３０】
第１支柱２０を構成する材料としては、アルミニウムやスチールなどの金属材料、又は樹脂材料を用いることができる。例えば、加熱されたアルミニウムを金型から押し出すことによって、図２に示す中空の第１支柱２０を作製することができる。図示はしないが、第１支柱２０の第１外面２６には、ダイノックシート（登録商標）などの化粧シートが貼り付けられていてもよい。
【００３１】
（第２支柱）
図３は、第２支柱３０を示す横断面図である。第２支柱３０は、上下方向Ｖに延び、第１支柱２０の第１内面２１又はパネル４０に対向する第２内面３１を含む中空の部材である。図３に示すように、第２支柱３０は、芯材１０側に位置する第２内面３１に加えて、第２内面３１の反対側に位置する第２外面３６を含んでいてもよい。第２外面３６は、図３に示すように、半円形の断面形状を有していてもよい。
【００３２】
第２支柱３０の第２内面３１は、芯材１０に対向する第２中央部３２と、第２中央部３２の両側に位置する一対の第２側部３３と、を含んでいる。第１支柱２０の第１内面２１の第１中央部２２と同様に、第２支柱３０の第２内面３１の第２中央部３２は、第２側部３３から第２外面３６側へ凹んだ溝を含んでいてもよい。
【００３３】
第２中央部３２は、芯材１０に磁力によって固定されるよう構成されていてもよい。例えば、第２支柱３０は、第２中央部３２に取り付けられている第２磁性体３５を有していてもよい。第２磁性体３５は、例えば、第２中央部３２に貼り付けられる粘着層を含むマグネットシートである。
【００３４】
図４は、図１のパーティション装置１をＡ−Ａ線に沿って見た場合を示す横断面図である。第２支柱３０の第２内面３１は、第２磁性体３５の磁力によって芯材１０に固定されている。
【００３５】
図３及び図４に示すように、第２側部３３には、第２中央部３２の溝よりも小さい深さで第２外面３６側へ凹んだ段差３３ａが形成されていてもよい。
【００３６】
第２支柱３０を構成する材料としては、第１支柱２０と同様に、アルミニウムやスチールなどの金属材料、又は樹脂材料を用いることができる。例えば、加熱されたアルミニウムを金型から押し出すことによって、図３に示す中空の第２支柱３０を作製することができる。図示はしないが、第２支柱３０の第２外面３６には、ダイノックシート（登録商標）などの化粧シートが貼り付けられていてもよい。
【００３７】
（パネル）
図４に示すように、パネル４０は、隣り合う２本の芯材１０の間に広がる板状のパネル本体４１を少なくとも含む。パネル本体４１は、第１支柱２０側に位置する第１パネル面４３と、第２支柱３０側に位置する第２パネル面４４とを有する。パネル本体４１の材料としては、スチール、アルミニウム、ポリカーボネートなどの樹脂、木材、これらの複合材などを用いることができる。また、パネル本体４１は、ホワイトボードなどの、書き込みが可能な板であってもよい。上下方向Ｖにおけるパネル本体４１の寸法は、例えば１３００ｍｍ以上１８００ｍｍ以下である。
【００３８】
水平方向Ｈにおけるパネル４０の端部４５は、第１支柱２０の第１内面２１の第１側部２３に磁力によって固定され得るよう構成されている。例えば、図４に示すように、パネル本体４１の第１パネル面４３の端部には第３磁性体４６が取り付けられていてもよい。第３磁性体４６は、第１パネル面４３に貼り付けられる粘着層を含むマグネットシートであってもよく、スチール板などの強磁性体であってもよい。図４に示すように、パネル本体４１の第２パネル面４４の端部にも第３磁性体４６が取り付けられていてもよい。
【００３９】
このように、本実施の形態においては、芯材１０に機械的に固定されている第１支柱２０の第１側部２３がパネル４０の第１パネル面４３と平行に広がっており、この第１側部２３に磁力によってパネル４０の端部４５が固定されている。このため、芯材１０及び第１支柱２０の組み合わせ体８を設置した状態で、パネル４０を第１側部２３に取り付けたり第１側部２３から取り外したりすることができる。また、磁力を利用してパネル４０を固定しているので、パネル４０を機械的に固定する場合に比べて、パネル４０を容易に取り付けたり取り外したりすることができる。このため、利用者が自らパネル４０の交換や増設を行うことができる。
【００４０】
また、第２支柱３０によって第１支柱２０、第２支柱３０及びパネル４０の端部４５を覆うことができるので、パーティション装置１の意匠性を高めることができる。また、磁力を利用して第２支柱３０を芯材１０に固定しているので、第２支柱３０を機械的に固定する場合に比べて、第２支柱３０を容易に取り付けたり取り外したりすることができる。
【００４１】
一方、経年劣化などに起因して磁力が低下すると、パネル４０が第１支柱２０から外れて落下してしまうことが考えられる。パネル４０が落下して床６１に衝突すると、パネル４０及び床６１に大きな損傷が生じ得る。このような懸念を考慮し、パネル４０が床６１まで落下することを防止する機構を設けておくことが好ましい。以下、このような機構の一例について、図５を参照して説明する。
【００４２】
図５は、図１のパーティション装置１を、第１支柱２０に固定されているパネル４０よりも下方に位置するＢ−Ｂ線に沿って見た場合を示す横断面図である。図５に示すように、第２支柱３０の第２側部３３には、パネル受け部材３４が機械的に固定されていてもよい。例えば、パネル受け部材３４は、ビスなどの固定具５２によって第２側部３３に固定されている。パネル受け部材３４は、段差３３ａよりも第２中央部３２側の位置において第２側部３３に取り付けられていてもよい。
【００４３】
パネル受け部材３４は、芯材１０にも機械的に固定されていてもよい。図６は、図５の芯材１０、第２支柱３０及びパネル受け部材３４をＣ−Ｃ線に沿って見た場合を示す横断面図である。図６に示すように、パネル受け部材３４は、上下方向Ｖにおいて固定具５２とは異なる位置に設けられている固定具５３によって芯材１０の第３面１５や第４面１６に固定されていてもよい。
【００４４】
パネル受け部材３４は、第１支柱２０から外れて落下したパネル４０を、パネル４０が床６１まで落下するよりも前に受け止めることができる。このため、パネル４０が床６１まで落下する場合に比べて、パネル４０に加わる衝撃を軽減することができる。これにより、パネル４０に損傷が生じることを抑制することができる。また、床６１に損傷が生じることを防ぐことができる。
【００４５】
パーティション装置の設置方法
次に、図７乃至図１１を参照して、パーティション装置１の設置方法の一例を説明する。ここでは、図７に示すように、芯材１０の下端１１にボルト１７が取り付けられ、また、ボルト１７の下端にベースプレートが固定されている場合について説明する。
【００４６】
まず、芯材１０及び第１支柱２０の組み合わせ体８をオフィスなどに設置する。具体的には、まず、第１支柱２０が取り付けられている芯材１０の上端１２を天井６２に固定する。例えば、芯材１０の上端１２を天井６２の孔に挿入することにより、上端１２を天井６２に固定してもよい。続いて、芯材１０の下端１１に取り付けられているボルト１７を回転させる。これにより、図８において矢印Ｄ１で示すように、ボルト１７のうち芯材１０に挿入されていた部分が下方へ延び出す。ボルト１７の下端に固定されているベースプレート１８が床６１に接するまでボルト１７を回転させた後、ビス１９などの固定具を用いてベースプレート１８を床６１に固定する。これによって、芯材１０の下端１１及び上端１２を床６１及び天井６２に固定することができる。
【００４７】
続いて、図９に示すように、第１支柱２０の第１側部２３にパネル４０の端部４５を磁力によって固定する。また、図１０に示すように、既に固定されているパネル４０の上方において第１支柱２０の第１側部２３に更なるパネル４０の端部４５を磁力によって固定する。
【００４８】
所定の枚数のパネル４０を第１支柱２０に固定した後、図１１に示すように、第２支柱３０を組み合わせ体８に固定する。例えば、第２支柱３０の第２中央部３２を芯材１０の第２面１４に磁力によって固定する。このようにして、パーティション装置１をオフィスなどに設置することができる。
【００４９】
その後、パネル４０の交換や増設を行う場合、利用者はまず、磁力によって固定されている第２支柱３０を芯材１０から取り外す。続いて、第１支柱２０に磁力によって固定されているパネル４０を交換したり増設したりする。その後、第２支柱３０を芯材１０に磁力によって再び固定する。このようにして、芯材１０を取り外すことなく、利用者が自らパネル４０の交換や増設を容易に行うことができる。
【００５０】
なお、上述の本実施の形態においては、パネル支持機構５を、パーティション用のパネル４０を支持するために利用する例を示した。しかしながら、パネル支持機構５によって支持されるパネルがパーティション用のパネル４０に限られることはない。例えば広告用の看板パネルなど様々なパネルを、上述のパネル支持機構５によって支持することができる。また、パネル支持機構５を用いることにより、広告用の看板パネルなどの様々なパネルの交換作業や増設作業を容易化することができる。
【００５１】
また、上述の本実施の形態においては、パネル受け部材３４が第２支柱３０に取り付けられている例を示した。しかしながら、これに限られることはなく、パネル受け部材３４は芯材１０又は第１支柱２０に取り付けられていてもよい。
【符号の説明】
【００５２】
１  パーティション装置
５  パネル支持機構
８  組み合わせ体
１０  芯材
１１  下端
１２  上端
１３  第１面
１４  第２面
１４ａ  開口
１５  第３面
１６  第４面
１７  ボルト
１８  ベースプレート
１９  ビス
２０  第１支柱
２１  第１内面
２２  第１中央部
２３  第１側部
２３ａ  段差
２５  第１磁性体
３０  第２支柱
３１  第２内面
３２  第２中央部
３３  第２側部
３３ａ  段差
３４  パネル受け部材
３５  第２磁性体
４０  パネル
４１  パネル本体
４３  第１パネル面
４４  第２パネル面
４５  端部
４６  第３磁性体
５１、５２、５３  固定具
６１  床
６２  天井
【要約】      （修正有）【課題】パネルの交換や増設を容易に行うことができるパーティション装置を提供する。【解決手段】パーティション装置は、上下方向に延びる芯材１０と、芯材に固定されている第１内面２１を含み、上下方向に延びる第１支柱２０と、第１支柱に固定されているパネル４０と、芯材に固定されている第２支柱３０と、を備える。第１支柱の第１内面は、芯材に機械的に固定されている第１中央部２２と、第１中央部の両側に位置する一対の第１側部２３と、を含む。パネルは、第１支柱の第１内面の第１側部に磁力によって固定されている端部４５を含む。第２支柱は、芯材、第１支柱の第１内面又はパネルに対向する第２内面３１を含み、上下方向に延びている。第２支柱の第２内面は、芯材に磁力によって固定されている第２中央部３２と、第２中央部の両側に位置し、第１支柱の第１内面の一対の第１側部又はパネルに対向する一対の第２側部３３と、を含む。【選択図】図４【図１】
0006841528.tif 000002
【図２】
0006841528.tif 000003
【図３】
0006841528.tif 000004
【図４】
0006841528.tif 000005
【図５】
0006841528.tif 000006
【図６】
0006841528.tif 000007
【図７】
0006841528.tif 000008
【図８】
0006841528.tif 000009
【図９】
0006841528.tif 000010
【図１０】
0006841528.tif 000011
【図１１】
0006841528.tif 000012